(57)【特許請求の範囲】
【請求項１】
扱室（１）と、該扱室（１）の送塵口（２）からの送出物を処理する処理室（３）を並設し、これら扱室（１）と処理室（３）の下方に、扱室（１）からの扱卸物と処理室（３）から落下する処理物を選別する揺動選別体（４）を設け、前記扱室（１）と処理室（３）内に収蔵する扱胴（５）と処理胴（６）の軸芯方向を機体の進行方向と同方向にするとともに、揺動選別体（４）の揺動方向を前記軸芯方向と直交させた脱穀装置において、揺動選別体（４）の始端部下方に圧風ファン（８）を、終端部下方に塵埃分離室（９）を配設し、該圧風ファン（８）の吹出がわを選別風路（１０）により塵埃分離室（９）の上部がわに、該塵埃分離室（９）の下部がわを迂回路（１１）によって前記圧風ファン（８）の吸入がわにそれぞれ連通して、選別風を装置内で循環させる構成にしたことを特徴とするコンバイン用脱穀装置。
【発明の詳細な説明】
【０００１】
【発明の属する技術分野】
本発明は、コンバインを組成するところの脱穀装置に関するものである。
【０００２】
【従来の技術】
従来のコンバイン用脱穀装置は、扱胴と処理胴の軸芯方向を機体の進行方向と同方向にした扱室と処理室を並設し、その扱室と処理室の下方に扱室からの扱卸物と処理室からの処理物を選別する揺動選別体を設け、揺動選別体の揺動方向を前記軸芯方向と同じ向きにしたもので、この脱穀装置を走行機台上に搭載し、脱穀装置の横に穀粒タンクを隣設して、前方の刈取装置で刈取った穀稈を脱穀装置に後送し脱穀処理しながら脱穀処理による１番物を穀粒タンクに一旦貯留するとともに、脱穀済の排藁を脱穀装置後方の排藁処理装置により処理するものにしている。また、機体の進行方向に扱胴軸を配置し、これに直交する揺動選別棚を扱室の下方に架設した脱穀機を走行クローラ上に搭載して、処理室を揺動選別体の始端がわにし、前記扱室を該揺動選別体の終端がわ上方に設けたコンバイン用脱穀装置の実施例が特開昭５５−９６０２２号公報に開示され、更に扱室のクリンプ網から落下する扱卸物を揺動選別体の始端がわに案内する流下板を斜設した実施例が実願昭５９−１７２０７９号公報に記載されている。実願昭５４−１４６８３６号公報には、扱胴軸芯に対して直交する選別部を配設するとともに、終端部上方に排塵ブロワを設けた所謂横吹き型脱穀装置をクローラ走行装置上に搭載し、排塵口を該クローラ走行装置側に開設したコンバインのレイアウトが開示されている。
【０００３】
【発明が解決しようとする課題】
ところで、上記の脱穀装置の高性能化が要求され、その要求に基づいて高性能化のため種々の方策が考究され実施されてきたのであるが、究極的には扱室と処理室の脱穀処理を緊密にするとともに、この脱穀処理されたものを充分選別処理できるように揺動選別体の選別性能を一段とアップすることが肝要であって、選別性能をアップするためには揺動選別体選別面の横幅を拡幅するか揺動選別体を後方に延長して選別面を広くする必要がある。しかし、揺動選別体の横幅を拡幅すると穀粒タンクの設置領域に侵入して１番物の貯留量を減量させるし、後方に延長することによって選別面を広くすれば機体の前後長が長くなり路上における走行性と圃場での機動性・旋回性を低下させることになる。そこで、本発明にあっては脱穀装置各部の配置構成に検討を加え従来のものの画期的な変更改善により高性能のコンバイン用脱穀装置を提供せんとして創作されたものである。
【０００４】
【課題を解決するための手段】
本発明は、このような高性能のコンバイン用の脱穀装置を提供するために、扱室と、該扱室の送塵口からの送出物を処理する処理室を並設し、これら扱室と処理室の下方に、扱室からの扱卸物と処理室から落下する処理物を選別する揺動選別体を設けたものであって、扱室と処理室内に収蔵する扱胴と処理胴の軸芯方向を機体の進行方向と同方向にするとともに、揺動選別体の揺動方向を前記軸芯方向と直交させて構成したのである。そして、前記処理室を揺動選別体の始端がわ上方に位置させ扱室を終端がわ上方にして設け、該扱室からの扱卸物を揺動選別体の始端がわに案内する流下板を斜設するとよく。また、前記送塵口を扱室の中途部から終端部にかけて幅広く形成するとよい。更に、前記処理室を扱室より下位に設定し、揺動選別体の始端部下方に圧風ファンを、終端部下方に塵埃分離室を配設し、該圧風ファンの吹出がわを選別風路により塵埃分離室の上部がわに、該塵埃分離室の下部がわを迂回路によって圧風ファンの吸入がわにそれぞれ連通して選別風を装置内で循環させるようにするとよいのである。
【０００５】
【作用】
これにより、前方の刈取装置で刈取った穀稈は脱穀装置に供給されて、扱胴と処理胴の軸芯方向を機体の進行方向と同方向にした扱室と処理室によってダイレクトに脱穀処理され、これら扱室と処理室からの扱卸物と処理物は横幅が機体の進行方向になって選別面が拡幅されて機体の左右方向に揺動する揺動選別体上に落下し、揺動作用と選別風とによって選別されて１番物は脱穀装置の横に隣設する穀粒タンクに貯留されるようになり、脱穀済の排藁は後方に搬出され排藁処理装置で処理されるのである。
【０００６】
そして、前記の処理室を揺動選別体の始端がわ上方に位置させ扱室を終端がわ上方にして設け、該扱室からの扱卸物を揺動選別体の始端がわに案内する流下板を斜設すると、処理室からの処理物は勿論、扱室からの扱卸物も流下板によって揺動選別体の始端がわに案内されて揺動選別体の揺動方向全長にわたって選別作用が行われる。
【０００７】
また、前記送塵口を扱室の中途部から終端部にかけて幅広く形成すると、扱室内から処理室への送出物が増加して扱室内における脱穀作用の負担を軽減するとともに、幅広の送塵口部で回転する扱歯により藁稈が梳かれササリ粒を完全分離して扱室内から後方に搬出される。
【０００８】
更に、前記処理室を扱室より下位に設定しておくと、扱室の送塵口から処理室への送出物の送出作用がよくなり、揺動選別体の始端部下方に圧風ファンを、終端部下方に塵埃分離室を配設し、該圧風ファンの吹出がわを選別風路により塵埃分離室の上部がわに、該塵埃分離室の下部がわを迂回路によって圧風ファンの吸入がわにそれぞれ連通して選別風を装置内で循環させるようにすると、塵埃が選別風と分離しまとまって落下して装置外に飛散せず粉塵立ちがないのである。
【０００９】
【実施例】
以下、本発明について実施例図を参照し具体的に説明すると、この脱穀装置は走行機台上の左側に搭載され、右側には操縦部とエンジンおよび脱穀装置からの１番物を貯留する穀粒タンクが配設されて脱穀装置に穀粒タンクが隣設し、脱穀装置の前方に刈取装置を後方に排藁処理装置をそれぞれ設けてコンバインを構成している。
【００１０】
そこで、上記のように走行機台上の左側に搭載の脱穀装置を「図１」〜「図６」により記述する。（１）は扱室、（３）は処理室で、その扱室（１）と処理室（３）の下方には揺動選別体（４）が装架されて、刈取装置から後送される刈取穀稈は扱室（１）と処理室（３）とによって脱穀処理され、その扱室（１）からの扱卸物と処理室（３）からの処理物が揺動選別体（４）の揺動作用と選別風により選別されるのである。
【００１１】
前記の扱室（１）と処理室（３）は、大径の扱胴（５）と小径の処理胴（６）を収蔵し、その各胴（５）（６）の軸芯方向を前後方向、即ち、機体の進行方向と同方向にして並設し、扱室（１）の終端部から後方にかけて４番樋（１２）が設けられ、処理室（３）の始端部から前側には処理胴軸（１３）と同一軸にして後方に向けて搬送する横送りコンベヤ（１４）を内蔵する還元室（１５）が連通連設されている。そして、その還元室（１５）に対向する扱室（１）の周面部分に扱網（１６）が張設され、処理室（３）に対面する扱室（１）の周面には扱室（１）と処理室（３）の始端がわとを連通する送塵口（２）を開口し、その送塵口（２）は扱室（１）の中途部から終端部にかけて幅広いものに形成されて送塵口（２）の幅（Ｗ１）は扱網（１６）の幅（Ｗ２）と略々同一になり、並設する扱室（１）と処理室（３）はその処理室（３）を扱室（１）よりも下位に設定してある。
【００１２】
また、（４）は揺動選別体で、この揺動選別体（４）は前記扱室（１）と処理室（３）および還元室（１５）の下方において、その揺動方向を機体の左右方向
、即ち、扱胴（５）と処理胴（６）の軸芯方向と直交させて装架したもので、始端部から終端部にかけてフィ−ドパン（１７）・チャフシ−ブ（１８）・ストロ−ラック（１９）を順次配設し、チャフシ−ブ（１８）の下側にグレンシ−ブ（
２０）が張設されてこれらのものによって構成されている。
【００１３】
そして、前記処理室（３）および還元室（１５）を揺動選別体（４）の始端がわ上方に、扱室（１）を中途部から終端がわ上方にそれぞれ位置させて、前記扱網（１６）の下端部から揺動選別体（４）の始端がわに向けて下り斜面に流下板（７）が斜設され、扱網（１６）の網目を通過して落下する扱室（１）からの扱卸物を揺動選別体（４）の始端がわに供給し、また、処理室（３）の下側周りには処理網（２１）が張設されていて処理室（３）からの処理物はこの処理網（２１）を通過して揺動選別体（４）の始端がわに落下し揺動選別体（４）の揺動作用を受けるのである。
【００１４】
また、扱卸物と処理物の選別を行う前記揺動選別体（４）の揺動作用に併用する選別風は、揺動選別体（４）の始端部の下方に横断流ファンであるところの圧風ファン（８）を終端がわに塵埃分離室（９）を配設し、圧風ファン（８）の吹出がわと塵埃分離室（９）の上部がわとの間に選別風路（１０）が形成されて吹流し、塵埃分離室（９）の下部がわと圧風ファン（８）の吸入がわは迂回路（１１）により連通されて塵埃分離室（９）で選別風から塵埃が除去されたものが圧風ファン（８）の吸入がわに還流し再度吹出がわから吹出し選別風路（１０）を吹流するのである。
【００１５】
そして、選別風路（１０）の底部には圧風ファン（８）がわから１番物受樋（
２２）と２番物受樋（２３）が横設され、１番物受樋（２２）は揚穀筒（２４）により前記の穀粒タンクに連通し、２番物受樋（２３）は揚穀筒（２５）によって還元室（１５）に連通させて２番物を処理室（３）に供給するようにしている
。
【００１６】
また、処理室（３）の終端部は排塵室（２６）に延出されて排塵口（２７）を開口し、排塵室（２６）内におけるこの排塵口（２７）部の側方で前記４番樋（
１２）の下方には篩線（２８）が斜設され、その篩線（２８）の下方には揺動選別体（４）の側縁部から斜め上向きに突出する受板（２９）が延設されて処理室（３）の排塵口（２７）から投出され篩線（２８）間から漏下したものを受けて揺動選別体（４）上に回収するようにしてある。
【００１７】
なお、（３０）（３１）は刈取装置からの刈取穀稈を受継いで挟持搬送するフィ−ドチエンと挟扼レ−ルであり、（３２）は脱穀済の排藁を排藁処理装置に向けて搬出する排藁チエン、（３３）は塵埃分離室（９）の底部に開口の塵埃落下口で、クロ−ラ（３４）の上方に位置し、（３５）は外気吸入量を調節して圧風ファン（８）の風力を加減する風力調節弁である。
【００１８】
「図７」は脱穀装置各部への動力の伝達手段を示したもので、（３６）は入力軸で、この入力軸（３６）からベルト（３７）とギヤケ−ス（３８）を介して扱胴（５）を回転させ、また、同ベルト（３７）とギヤボックス（３９）により横送りコンベヤ（１４）と処理胴（６）を回転させ、入力軸（３６）からベルト（
４０）によって圧風ファン（８）と１番物受樋（２２）に内装の横送りコンベヤ（４１）と揚穀筒（２４）に内装の揚上コンベヤを回転し、入力軸（３６）からベルト（４２）によって揺動選別体（４）の揺動駆動機構の駆動軸（４３）と２番物受樋（２３）に内装の横送りコンベヤ（４４）を回転するようにしてある。
【００１９】
したがって、刈取穀稈がフィ−ドチエン（３０）と挟扼レ−ル（３１）により挟持搬送されて扱室（１）内を横送すると、穀稈は扱胴（５）の回転によって脱穀され、その扱卸物は扱網（１６）の網目を通過して揺動選別体（４）の始端がわに向けて投出されるとともに、流下板（７）によって案内されて揺動選別体（
４）の始端がわに供給され、扱網（１６）を通過しないものは送塵口（２）から処理室（３）の始端がわに落ち込むように送出されて、この幅広の送塵口（２）部で脱穀された藁稈に刺さるササリ粒は扱歯の梳き作用によって藁稈から分離し、その分離した藁稈が排藁チエン（３２）に受継がれ４番樋（１２）上を搬出されて排藁処理装置で処理され、前記の送塵口（２）から処理室（３）に送出されたものは終端がわに移行する間において処理胴（６）の回転により処理され、その処理物は処理網（２１）を通って揺動選別体（４）の始端がわに落下する。
【００２０】
このようにして、揺動選別体（４）の始端がわに供給または落下した扱卸物と処理物はこの揺動選別体（４）の左右方向の揺動作用と選別風路（１０）を吹流する選別風の併用によって選別されて１番物は１番物受樋（２２）に落入し集合して揚穀筒（２４）により揚上され穀粒タンクに貯留されるのである。また、２番物受樋（２３）内に落入した２番物は揚穀筒（２５）によって還元室（１５）内に投入され横送りコンベヤ（１４）でもって後方に向けて搬送され処理室（３
）の始端部に返され、前記の送塵口（２）から送出されたものに合流し該室（３
）で前記のようにして再処理されるのである。
【００２１】
そして、処理室（３）の処理網（２１）を通過して落下しないものはこの処理室（３）の終端部に至り排塵口（２７）から処理胴（６）と共に回転する処理歯によって排塵室（２６）内に放擲され篩線（２８）上に落下し穀粒類はこの篩線（２８）間から漏下して受板（２９）により揺動選別体（４）上に流動して回収され、篩線（２８）を漏下しない稈切れ等は後方に滑り落ちるようになる。
【００２２】
また、前記の選別風路（１０）を吹流して揺動選別体（４）の揺動作用に併用される選別風は塵埃を伴って揺動選別体（４）終端がわの塵埃分離室（９）の上部がわから該室（９）内に吹流し、ここでその選別風は風速を減じ塵埃は沈滞下降して塵埃落下口（３３）から回行するクロ−ラ（３４）の外周面に排出され機体後方の圃場面に落下し、塵埃分離室（９）で塵埃が除去された選別風は迂回路（１１）を圧風ファン（８）に還流して循環するようになり塵埃が飛散しないのである。
【００２３】
【発明の効果】
本発明によるコンバイ用の脱穀装置は以上説明したもののように、扱室（１）と、該扱室（１）の送塵口（２）からの送出物を処理する処理室（３）を並設し
、これら扱室（１）と処理室（３）の下方に、扱室（１）からの扱卸物と処理室（３）から落下する処理物を選別する揺動選別体（４）を設けたものであって、扱室（１）と処理室（３）内に収蔵する扱胴（５）と処理胴（６）の軸芯方向を機体の進行方向と同方向にするとともに、揺動選別体（４）の揺動方向を前記軸芯方向と直交させて構成したことを特徴とするものであるから、機体の進行方向と同方向にした扱室（１）と処理室（３）とによってダイレクトに脱穀処理が行われながら、これら扱室（１）と処理室（３）からの扱卸物と処理物を選別する揺動選別体（４）の揺動方向を機体の左右方向にして前記軸芯方向と直交させたので、揺動選別体（４）の横幅が機体の進行方向になって選別面が拡幅され選別性能が一段とアップされた高性能の脱穀装置の実現を見たのである。しかも、脱穀装置を高性能のものにしながらも、隣設する穀粒タンクの領域に侵入して１番物の貯留量を減量させることもなく、また、機体の前後長を長くさせないから、路上操行性と圃場での機動性・旋回性を低下させないのである。そして、その場合に、処理室（３）を揺動選別体（４）の始端がわ上方に位置させ扱室（１）を終端がわ上方にして設け、扱室（１）からの扱卸物を揺動選別体（４）の始端がわに案内する流下板（７）を斜設すると、処理室（３）からの処理物は勿論、扱室（１）からの扱卸物も流下板（７）によって揺動選別体（４）の始端がわに案内されて揺動選別体（４）の揺動方向全長にわたって選別作用が行われ、選別性能がよくなる。また、前記送塵口（２）を扱室（１）の中途部から終端部にかけて幅広く形成すると、扱室（１）内から処理室（３）への送出物が増加して扱室（１）内における脱穀作用の負担を軽減するとともに、幅広の送塵口（２）部で回転する扱歯により藁稈が梳かれササリ粒の完全分離が行われるからロスの解消に効果がある。更に、前記処理室（３）を扱室（１）より下位に設定しておくと
、扱室（１）の送塵口（２）から処理室（３）への送出物の送出作用がよくなり
、揺動選別体（４）の始端部下方に圧風ファン（８）を、終端部下方に塵埃分離室（９）を配設し、圧風ファン（８）の吹出がわを選別風路（１０）により塵埃分離室（９）の上部がわに、塵埃分離室（９）の下部がわを迂回路（１１）によって圧風ファン（８）の吸入がわにそれぞれ連通して選別風を装置内で循環させるようにすると、塵埃が選別風と分離しまとまって落下して装置外に飛散せず粉塵立ちしないのである。
【図面の簡単な説明】
【図１】  脱穀装置内部を示す右側面図である。
【図２】  同脱穀装置内部の平面図である。
【図３】  「図１」のＡ−Ａ線における断面図である。
【図４】  同「図１」のＢ−Ｂ線における断面図である。
【図５】  同「図１」のＣ−Ｃ線における断面図である。
【図６】  同「図１」のＤ−Ｄ線における断面図である。
【図７】  同装置の動力伝達手段を示した前方視図である。
【符号の説明】
１ 扱室
２ 送塵口
３ 処理室
４ 揺動選別体
５ 扱胴
６ 処理胴
７ 流下板
８ 圧風ファン
９ 塵埃分離室
１０ 選別風路
１１ 迂回路
【図１】
0003635130.tif 000002
【図２】
0003635130.tif 000003
【図３】
0003635130.tif 000004
【図４】
0003635130.tif 000005
【図５】
0003635130.tif 000006
【図６】
0003635130.tif 000007
【図７】
0003635130.tif 000008